(57)【要約】【課題】表示部の表示領域を有効に活用して、再生表示される画像をズームする。【解決手段】アスペクト比４：３（比率は４／３）である画像の大きさから、アスペクト比が１６：９（比率は１６／９）の再生面を計算し、記憶部１４に記憶する。再生面に画像を貼り付け、アスペクト比１６：９（比率は１６／９）である表示部に出力し、画像の再生表示を行う。再生ズーム時には、ズームの倍率に応じて切り出し画像のサイズが決定され、画像の切り出しがなされる。このとき、ズームされる画像の比率と、画像が再生表示される表示部の比率とが異なる場合の再生ズーム時では、再生面に基づいて画像の切り出しが行われる。切り出した画像に対して画素の補間処理が行われ、ズームされた画像が表示部に表示される。【選択図】  図１１
2006217214.tif 000002
【特許請求の範囲】
【請求項１】
記録部に記録された画像を再生表示する再生装置において、
横と縦の長さの比率が第１の比率である表示部と、
横と縦の長さの比率が上記第１の比率より小さい第２の比率である画像を上記表示部に再生表示し、上記画像をズームする再生ズーム手段とを備え、
再生ズーム時に、上記表示部における上記画像が表示される領域が、拡大されることを特徴とする再生装置。
【請求項２】
上記第１の比率が１６／９であり、上記第２の比率が４／３である請求項１に記載の再生装置。
【請求項３】
記録部に記録された画像を再生表示する撮像装置において、
横と縦の長さの比率が第１の比率である表示部と、
横と縦の長さの比率が上記第１の比率より小さい第２の比率である画像を上記表示部に再生表示し、上記画像をズームする再生ズーム手段とを備え、
再生ズーム時に、上記表示部における上記画像が表示される領域が、拡大されることを特徴とする撮像装置。
【請求項４】
上記第１の比率が１６／９であり、上記第２の比率が４／３である請求項３に記載の撮像装置。
【請求項５】
記録部に記録された画像を再生表示する再生装置において、
横と縦の長さの比率が第１の比率である表示部と、
横と縦の長さの比率が上記第１の比率より大きい第２の比率である画像を上記表示部に再生表示し、上記画像をズームする再生ズーム手段とを備え、
再生ズーム時に、上記表示部における上記画像が表示される領域が、拡大されることを特徴とする再生装置。
【請求項６】
上記第１の比率が４／３であり、上記第２の比率が１６／９である請求項５に記載の再生装置。
【請求項７】
記録部に記録された画像を再生表示する撮像装置において、
横と縦の長さの比率が第１の比率である表示部と、
横と縦の長さの比率が上記第１の比率より大きい第２の比率である画像を上記表示部に再生表示し、上記画像をズームする再生ズーム手段とを備え、
再生ズーム時に、上記表示部における上記画像が表示される領域が、拡大されることを特徴とする撮像装置。
【請求項８】
上記第１の比率が４／３であり、上記第２の比率が１６／９である請求項７に記載の撮像装置。
【請求項９】
記録された画像を再生する再生方法において、
横と縦の長さの比率が第１の比率である表示部に、横と縦の長さの比率が、上記第１の比率より小さい第２の比率である画像を再生表示する再生表示ステップと、
再生表示された画像をズームする再生ズームステップとからなり、
上記再生ズームステップにおいて、上記表示部における上記画像が表示される領域が、拡大されることを特徴とする再生方法。
【請求項１０】
上記第１の比率が１６／９であり、上記第２の比率が４／３である請求項９に記載の再生方法。
【請求項１１】
記録された画像を再生する再生方法において、
横と縦の長さの比率が第１の比率である表示部に、横と縦の長さの比率が、上記第１の比率より大きい第２の比率である画像を再生表示する再生表示ステップと、
再生表示された画像をズームする再生ズームステップとからなり、
上記再生ズームステップにおいて、上記表示部における上記画像が表示される領域が、拡大されることを特徴とする再生方法。
【請求項１２】
上記第１の比率が４／３であり、上記第２の比率が１６／９である請求項１１に記載の再生方法。
【発明の詳細な説明】
【技術分野】
【０００１】
この発明は、画像が表示される表示部の表示領域を有効に活用して、記録された画像の再生ズームを行うことができる再生装置および撮像装置並びに再生方法に関する。
【背景技術】
【０００２】
近年、ＨＤＴＶ（High Definition Television）と称されるテレビジョン方式（以下、適宜、ＨＤＴＶと称する）が普及しつつある。ＨＤＴＶ方式では、例えば、総走査線数は１１２５本とされ、アスペクト比は１６：９とされる。これに対し、従来のテレビジョン方式（以下、適宜、ＳＤＴＶ（Standard Definition Television）と称する）では、総走査線は５２５本（または６２５本）とされ、アスペクト比は４：３とされる。
【０００３】
このような状況下で、広帯域の信号処理が可能とされ、ＨＤＴＶ方式信号と同時にＳＤＴＶ方式信号を出力することができるビデオカメラが登場しており、さらにアスペクト比が１６：９のＬＣＤ（Liquid Crystal Display）パネルを備えるビデオカメラも登場している。
【０００４】
しかしながら、特に静止画像では、いまだアスペクト比が４：３である画像が多く存在する。そこで上述したような１６：９のＬＣＤパネルを備えるビデオカメラにおいても、４：３の画像を再生表示できることが望まれる。従来、１６：９のＬＣＤパネルにおける４：３の画像の再生表示は、サイドクロップやサイドパネルと称されるようにＬＣＤパネルの左右に黒帯状の余白をつけて行われていた。また、アスペクト比が４：３のＬＣＤパネルにおける１６：９の画像の再生表示は、レターボックスと称されるようにＬＣＤパネルの上下に黒帯状の余白をつけて行われていた。
【０００５】
下記特許文献１には、映像信号の水平方向を選択的に伸張することで、テレビジョン受信機のアスペクト比に合わせた映像信号を出力する撮像記録再生装置が記載されている。
【０００６】
【特許文献１】特開平６−１７８１８２号公報
【発明の開示】
【発明が解決しようとする課題】
【０００７】
ところで、ビデオカメラやディジタルカメラなどの撮像装置には、記録媒体やメモリに記録または記憶されている画像を、撮像装置の表示部に再生表示する機能が設けられることが多い。また、再生表示される画像の、特定の箇所をズームする機能（以下、再生ズームと称する）を備える撮像装置も登場している。
【０００８】
図１４は、従来の再生ズームの処理を示す。図１４Ａでは、アスペクト比が１６：９である表示部１４１に、アスペクト比が４：３である画像１１１が再生表示されている。画像１１１の略中央には円形の被写体１１２が表示されている。表示部１４１のアスペクト比が１６：９であり、画像１１１のアスペクト比が４：３であることから、表示部１４１の左右両端には黒帯状の余白（無信号部分）１０２および余白１０３が表示されている。
【０００９】
図１４Ｂは、再生表示されている画像１１１をズームした画像１２１を示す。また、図１４Ｃは、画像１２１を、さらにズームした画像１３１を示す。画像１２１および画像１３１において、被写体１１２がズームされているが、表示部１４１の表示領域における画像自体の大きさは画像１１１と同じであり、余白１０２および余白１０３が表示されたままとなる。すなわち、ズームされても表示部１４１における画像が表示される領域は変わらず、表示領域の有効な活用ができていないという問題があった。
【００１０】
特許文献１には、映像信号を出力先であるテレビジョン受信機のアスペクト比に合わせること処理について記載されているが、再生ズーム時の処理については記載されていない。
【００１１】
したがって、この発明の目的は、表示部の表示領域を有効に活用をして、記録された画像のズームを行うことができる再生装置および撮像装置並びに再生方法を提供することである。
【課題を解決するための手段】
【００１２】
上述した課題を解決するために、この発明の第１の態様は、記録部に記録された画像を再生表示する再生装置において、横と縦の長さの比率が第１の比率である表示部と、横と縦の長さの比率が第１の比率より小さい第２の比率である画像を表示部に再生表示し、画像をズームする再生ズーム手段とを備え、再生ズーム時に、表示部における画像が表示される領域が、拡大されることを特徴とする再生装置である。
【００１３】
この発明の第２の態様は、記録部に記録された画像を再生表示する撮像装置において、横と縦の長さの比率が第１の比率である表示部と、横と縦の長さの比率が第１の比率より小さい第２の比率である画像を表示部に再生表示し、画像をズームする再生ズーム手段とを備え、再生ズーム時に、表示部における画像が表示される領域が、拡大されることを特徴とする撮像装置である。
【００１４】
この発明の第３の態様は、記録部に記録された画像を再生表示する再生装置において、横と縦の長さの比率が第１の比率である表示部と、横と縦の長さの比率が第１の比率より大きい第２の比率である画像を表示部に再生表示し、画像をズームする再生ズーム手段とを備え、再生ズーム時に、表示部における画像が表示される領域が、拡大されることを特徴とする再生装置である。
【００１５】
この発明の第４の態様は、記録部に記録された画像を再生表示する撮像装置において、横と縦の長さの比率が第１の比率である表示部と、横と縦の長さの比率が第１の比率より大きい第２の比率である画像を表示部に再生表示し、画像をズームする再生ズーム手段とを備え、再生ズーム時に、表示部における画像が表示される領域が、拡大されることを特徴とする撮像装置である。
【００１６】
この発明の第５の態様は、記録された画像を再生する再生方法において、横と縦の長さの比率が第１の比率である表示部に、横と縦の長さの比率が、第１の比率より小さい第２の比率である画像を再生表示する再生表示ステップと、再生表示された画像をズームする再生ズームステップとからなり、再生ズームステップにおいて、表示部における画像が表示される領域が、拡大されることを特徴とする再生方法である。
【００１７】
この発明の第６の態様は、記録された画像を再生する再生方法において、横と縦の長さの比率が第１の比率である表示部に、横と縦の長さの比率が、第１の比率より大きい第２の比率である画像を再生表示する再生表示ステップと、再生表示された画像をズームする再生ズームステップとからなり、再生ズームステップにおいて、表示部における画像が表示される領域が、拡大されることを特徴とする再生方法である。
【発明の効果】
【００１８】
この発明によれば、表示部の表示領域を有効に活用して、記録された画像をズームすることができる。したがって、ズームされた画像の視認性を向上させることができる。
【発明を実施するための最良の形態】
【００１９】
以下、図面を参照しながらこの発明の一実施形態について説明する。一実施形態では、この発明を撮像装置の一例であるビデオカメラ１に適用した例について説明する。ビデオカメラ１はアスペクト比が１６：９のＨＤＴＶ方式の動画像および４：３のＳＤＴＶ方式の動画像の撮影が可能とされる。また、ビデオカメラ１に内蔵される記憶部や、ビデオカメラ１と着脱自在とされる記録媒体に記録されている動画像および静止画像を、表示部に再生する機能を有する。
【００２０】
なお、この明細書において横と縦の長さの比率とは、（水平方向の画素数／垂直方向の画素数）をいい、適宜、比率と略す。例えば、アスペクト比が４：３である画像であれば、比率は４／３となる。
【００２１】
以下、ビデオカメラ１の構成、画像の通常再生処理、画像の再生ズーム処理の順に説明する。図１は、この発明の一実施形態におけるビデオカメラ１の主要な構成を示す。カメラブロック１１は、光学系、イメージセンサ、アナログ信号処理部、タイミング発生部などにより構成される。光学系は、被写体をイメージセンサに結像するレンズ系、赤外線カットフィルタ、光学的ローパスフィルタにより構成される。
【００２２】
イメージセンサは、例えば、ＣＣＤ(Charge Coupled Device)２０である。ＣＣＤ２０では、入射光に応じた光電変換がなされ、被写体情報が電気的な撮像信号へと変換される。ＣＣＤ２０は、ＨＤＴＶ方式の映像信号に対応した画素が配され、アスペクト比は１６：９とされる。また、ＣＣＤ２０における画素の一部（但し、アスペクト比は４：３とされる）を用いることで、ＳＤＴＶ方式の映像信号の撮像が可能とされる。なお、ＣＣＤ２０の他にも、例えば、ＣＭＯＳ（Complementary Metal Oxide Semiconductor）などのイメージセンサを用いてもよい。
【００２３】
アナログ信号処理部は、例えば、ＣＣＤ２０から出力される映像信号の雑音を除去するＣＤＳ(Correlated Double Sampling)部や利得制御を行うＡＧＣ（Automatic Gain Control）部からなる。タイミング発生部は、イメージセンサを駆動する駆動パルスを生成するＴＧ（Timing Generator）とドライブ部により構成される。
【００２４】
サンプリングレート変換部１２では、映像フォーマットに適したサンプリングレートが選択され、ＣＣＤ２０から供給される信号が、図示しないＡ／Ｄ(Analog to Digital)変換部でディジタル信号へと変換される。変換されたディジタル信号に対して、例えば、ガンマ・ニー補正や輪郭補償などのディジタル信号処理がなされる。
【００２５】
ビデオエンコーダ１３は、例えば、ＨＤＶフォーマットに従って、供給される信号に対して帯域圧縮の処理等が行われる。ＨＤＶフォーマットでは、ＨＤＴＶ方式の映像信号および音声信号を圧縮して、所定のフォーマットのデータが形成される。
【００２６】
記憶部１４は、ビデオカメラ１に内蔵され、例えば、半導体メモリ１４ａと、メモリ制御部１４ｂからなる。メモリ制御部１４ｂは、半導体メモリ１４ａに対する制御を行う。ビデオエンコーダ１３から供給される信号が、メモリ制御部１４ｂにより半導体メモリ１４ａへの記憶に適したフォーマットに変換され、半導体メモリ１４ａに一時的に記憶される。
【００２７】
記録部１５は、例えば、ＨＤＤ（Hard Disk Drive）や半導体メモリなどであり、記憶部１４から供給される信号が記録される。記録部１５は、ビデオカメラ１と着脱自在とされる記録媒体とされている。記録部１５には、ビデオカメラ１で撮像した画像が記録されるのみならず、他の撮像装置を用いて撮像された動画像または静止画像が記録されることもある。すなわち、ビデオカメラ１の表示部の比率と異なる比率を有する画像が記録されていることがある。
【００２８】
表示部１６は、例えばＬＣＤパネルであり、アスペクト比は１６：９とされ、比率（第１の比率）は１６／９とされる。表示部１６には、撮影時の被写体像や記録部１５に記録された画像の再生表示、さらにビデオカメラ１の種々の設定を行うメニュー画面等が表示される。
【００２９】
制御部１７は、例えば、マイクロプロセッサにより実現され、表示部１６の制御をはじめ、ビデオカメラ１の種々の機能を制御する。また、制御部１７には画像処理部１８が設けられる。画像処理部１８は、画像サイズの拡大／縮小機能を有し、記憶部１４に記憶された画像や、記録部１５に記録された画像に対する処理を行う。例えば、画像の圧縮伸張処理や、記憶部１４に記録された画像を表示部１６に再生表示するための補間処理をはじめとする信号処理、再生ズーム時になされる信号処理を行う。
【００３０】
制御部１７には、操作部１９の操作に対応した指示信号が供給される。操作部１９は、ビデオカメラ１に設けられるスイッチ類を総称したものである。操作部１９には、再生ズームを行うズームレバーが含まれる。なお、表示部１６をタッチパネルとして構成した場合は、表示部１６に対する操作に対応した信号が制御部１７に供給される。
【００３１】
次に、この発明の一実施形態におけるビデオカメラ１の通常再生処理について説明する。通常再生処理とは、記録部１５に記録された、第２の比率を有する画像（以下、画像３１と称する）を、表示部１６に再生表示する処理であり、再生ズームがなされる前の処理である。
【００３２】
図２は、通常再生処理の流れを示し、画像処理部１８による制御により実現される。画像の再生表示を実行する操作がなされると、ステップＳ１において記録部１５に記録された画像３１のアスペクト比が判別される。例えば、画像３１のアスペクト比が１６：９であり、比率が１６／９であるとき、すなわち画像３１の比率と表示部１６の比率が等しいときは、処理がステップＳ７に進む。
【００３３】
ステップＳ７では、画像３１が記録部１５から読出される。図３に示すように、読み出された画像３１が、記憶部１４の半導体メモリ１４ａに展開される。このとき、画像３１に、ＪＰＥＧ(Joint Photographic Coding Expert Group)などの圧縮処理がなされている場合は、画像処理部１８で伸張処理がなされた後に半導体メモリ１４ａに画像３１が展開される。画像３１が半導体メモリ１４ａに展開されると、処理がステップＳ８に進む。
【００３４】
ステップＳ８では、半導体メモリ１４ａに展開された画像３１が表示部１６に表示される。ここでは画像３１と表示部１６の比率が等しいことから、画像３１を１６：９のアスペクト比を有する信号として表示部１６に再生する。このとき、再生面の水平および垂直方向の画素数を、表示部１６の水平および垂直方向の画素数に適合させるために、画像３１に対する拡大または縮小処理が行われるようにしてもよい。
【００３５】
ステップＳ１において、画像３１のアスペクト比が４：３であり、比率が４／３であるとき、すなわち画像３１の比率が表示部１６の比率より小さいときは、処理がステップＳ２に進む。ステップＳ２では、画像３１の大きさに基づいて、再生面の計算がなされる。
【００３６】
図４は、ステップＳ２における再生面計算処理の一例を示す。図４Ａに示すように、例えば、画像３１が水平方向ｘ画素、垂直方向ｙ画素（但しｘ：ｙ＝４：３）である場合は、画像３１が再生表示される表示部１６のアスペクト比が１６：９であることから、再生面は、例えば式（１）により計算される。
ｘ´＝（ｙ／９）＊１６・・・式（１）
但し、ｘ´は再生面の水平方向の画素数を示す。
【００３７】
式（１）により図４Ｂに示す水平方向ｘ´画素、垂直方向ｙ画素（但しｘ´：ｙ＝１６：９）である再生面（以下、再生面４１と称する）が求まる。再生面４１が求められた後に、処理がステップＳ３に進む。
【００３８】
ステップＳ３では、半導体メモリ１４ａの記憶領域のうち、ステップＳ２で求めた再生面４１の領域が塗りつぶされる。このとき塗りつぶす領域の色は任意の色でよい。また、再生面４１の領域を塗りつぶすだけでなく図柄や文字情報を記憶させてもよい。
【００３９】
次に処理がステップＳ４に進む。ステップＳ４では、半導体メモリ１４ａに設けられた再生面４１に画像３１を貼り付ける位置が求められる。例えば、図５に示すように、再生面４１の中央に画像３１を貼り付けるとすると、画像３１の貼り付け開始位置５０は（（（（ｙ／９）＊１６）−ｘ）／２，０）とされる。但し、貼り付け開始位置５０は、再生面４１の左上の端点５１を原点とし、水平方向および垂直方向を座標表示したものである。
【００４０】
ステップＳ４で画像貼り付け開始位置が求められた後に、処理がステップＳ５に進む。ステップＳ５では、ステップＳ４で求めた画像貼り付け位置５０に基づいて、再生面４１に画像３１が貼り付けられる。図６に示すように、半導体メモリ１４ａには、再生面４１に画像３１が貼り付けられた全体画像（以下、画像６１と称する）が展開される。
【００４１】
続いて、処理がステップＳ６に進む。ステップＳ６では、画像６１が１６：９の信号として表示部１６に出力され、再生表示されて処理が終了する。このとき、画像６１の水平および垂直方向の画素数を、表示部１６の水平および垂直方向の画素数に適合させるために、画像６１に対して拡大または縮小処理が行われるようにしてもよい。
【００４２】
ステップＳ６の処理により、通常再生処理が終了する。通常再生処理により、図７に示すように、アスペクト比１６：９の表示部１６に、アスペクト比４：３の画像が表示される。このとき、表示部１６の左右には従来と同様に余白６２および余白６３が生じる。しかしながら、再生面を計算し、半導体メモリ１４ａを塗りつぶす過程において、上述したように任意の色で塗りつぶすことで、従来のように単に黒帯状の余白ではないようにすることもできる。また、画像貼り付け位置を計算し、余白の領域を判別することで、表示される再生画像における余白に文字情報や図柄などを表示することもできる。
【００４３】
次に、再生ズームについて説明する。再生ズームは、再生画像の一部が切り出され、切り出された画像に対する補間処理等の信号処理によって拡大表示される処理である。なお、以下、説明する再生ズームの処理は、図２を用いて説明した通常再生処理がすでに行われているものとして説明する。
【００４４】
はじめに、通常再生処理がされた画像が、アスペクト比１６：９（比率は１６／９）である画像である場合の再生ズームの処理について説明する。図８は、再生ズームの処理の流れを示し、画像処理部１８における制御により実現される。
【００４５】
ステップＳ２１では、画像の切り出しサイズが計算される。例えば、図９に示すように、通常再生処理の過程で半導体メモリ１４ａには、画像７１が展開されているとする。画像７１は、水平方向ｘ1画素、垂直方向ｙ1画素とされる（但しｘ1：ｙ1＝１６：９）。再生ズームにおける倍率をｚ倍とすると切り出し画像７２のサイズは水平方向ｘ1／ｚ画素、垂直方向ｙ1／ｚ画素となる。このように、切り出し画像７２のサイズは、画像７１の水平及び垂直方向の画素数と、再生ズームにおける倍率に基づいて決定されるが、切り出し画像７２の比率は、画像７１と同じ比率の１６／９となる。
【００４６】
次に、処理がステップＳ２２に進む。ステップＳ２２では、切り出し開始位置が計算される。図１０は切り出し開始位置の計算の一例を示す図である。例えば、画像７１の中心７３（この中心７３の座標を（ａ，ｂ）とする）を基準として再生ズームがなされるとすると、切り出し開始位置７４の座標は（ａ−ｘ1／２ｚ，ｂ−ｙ1／２ｚ）となる。なお、ここでは画像７１の中心７３を基準としてズームするものとして説明したが、再生ズームを行う箇所を任意に設定できるようにしてもよい。
【００４７】
続いて、処理がステップＳ２３に進む。ステップＳ２３では、画像の切り出しが行われ、切り出し画像７２がアスペクト比１６：９の信号として再生される。このとき、表示部１６の表示領域の画素数に適合させるために、切り出し画像７２に対して、倍率に応じた画素の補間処理がなされる。
【００４８】
続いて、処理がステップＳ２４に進む。ステップＳ２４は再生ズームの処理が終了したか否かが判別される。再度、再生ズームの処理がされたときは、上述したステップＳ２１〜ステップＳ２３の処理が繰り返される。再生ズームがされないときは、処理が終了する。
【００４９】
次に、この発明の特徴である再生表示される画像のアスペクト比が４：３である場合の再生ズーム処理について説明する。再生表示される画像のアスペクト比に関わらず、再生ズーム処理の流れは、図８を用いて説明した処理と同じである。図１１に示すように、通常再生処理により半導体メモリ１４ａには、水平方向ｘ2画素、垂直方向ｙ2画素（但しｘ2：ｙ2＝４：３）である画像８１が貼り付けられた再生面８０が展開されている。ここで、再生面８０は、画像８１の水平および垂直方向の画素数から計算された、水平方向ｘ2´画素、垂直方向ｙ2画素（但しｘ2´：ｙ2＝１６：９）であり、余白８３および余白８４が表示される。なお、ここでは説明をわかりやすくするために、余白８３および余白８４は、従来と同様に黒帯状の余白とする。
【００５０】
はじめに、切り出し画像８２のサイズが計算される（ステップＳ２１）。切り出し画像８２のサイズは、半導体メモリ１４ａに展開された再生面８０に基づいて決められる。すなわち、再生ズームの倍率をｚ倍とすると、切り出し画像８２のサイズは、水平方向ｘ2´／ｚ画素、垂直方向ｙ2／ｚ画素とされる。これにより、表示部１６と切り出し画像８２の比率が等しいものとされる。
【００５１】
続いて、切り出し開始位置が計算される（ステップＳ２２）。図１２は切り出し開始位置の計算の一例を示す。例えば、画像８１の中心８３（この中心８３の座標を（ａ´，ｂ´）とする）を基準として再生ズームがなされるとすると、切り出し開始位置８４の座標は（ａ´−ｘ2´／２ｚ，ｂ´−ｙ2／２ｚ）となる。なお、ここでは画像８１の中心８３を基準としてズームするものとして説明したが、再生ズームを行う箇所を任意に設定できるようにしてもよい。
【００５２】
続いて、画像の切り出しがなされ、切り出し画像８２がアスペクト比１６：９の信号として出力される（ステップＳ２３）。このとき、表示部１６の表示領域の画素数に適合させるために、切り出し画像８２に対して、再生ズームの倍率に応じた画素の補間処理がなされて、表示部１６に出力される。
【００５３】
続いて、再生ズームの処理が終了したか否かが判別される（ステップＳ２４）。再度、再生ズームの処理がされたときは、上述したステップＳ２１〜ステップＳ２３の処理が繰り返される。再生ズームの処理がされないときは、処理が終了する。
【００５４】
図１３は、アスペクト比が４：３の再生画像をズームしたときの表示例である。図１３Ａに示すように、通常再生処理により表示部１６には、画像９１が表示され、左右に余白１０２および余白１０３が表示される。図１３Ｂは、画像９１をズームした画像９２を示す。再生ズームにより被写体９４がズームされる。このとき、再生ズームの倍率によっては、余白１０４および余白１０５が生じる。これは、再生ズームの倍率により切り出し画像のサイズが決まるため、サイズによっては切り出し画像の左右に余白が存在するからである。しかしながら、通常再生処理により表示される余白１０２および余白１０３に比べ、余白が占める領域は小さくなる。
【００５５】
また、図１３Ｃに示すように、再生ズームの倍率を適切な値に設定してズームすると、余白１０４および余白１０５は表示されず、表示部１６の表示領域全体にズームされた画像９３が表示される。このように、表示部１６に表示される画像の表示領域が拡大されることで、表示部１６の表示領域を有効に活用してズームすることができる。
【００５６】
この発明は、この発明の要旨を逸脱しない範囲内でさまざまな変形や応用が可能であり、上述した一実施形態に限定されることはない。例えば、表示部が有する第１の比率が、画像の有する第２の比率よりも小さいときにもこの発明を適用できる。具体的な一例を示せば、アスペクト比が４：３の表示部に、アスペクト比が１６：９である画像を表示する場合である。
【００５７】
通常再生処理では、１６：９の画像からアスペクト比が４：３である再生面を計算し、再生面を半導体メモリ１４ａに記憶する。求めた再生面に１６：９の画像を貼り付け、必要に応じて表示部の表示領域に合せるための拡大／縮小処理をして、表示部に表示する。
【００５８】
また、再生ズーム時には、再生ズームの倍率に応じて、求めた４：３の再生面に基づいて画像の切り出しを行う。これにより、切り出し画像のサイズのアスペクト比は４：３とされ、表示部と切り出し画像の比率は同じ４／３となる。続いて、切り出し画像に補間処理をし、表示部に表示することで再生ズームを行うことができる。このように、アスペクト比が４：３の表示部にアスペクト比が１６：９である画像を表示するときでも、表示部の表示領域を有効に活用した再生ズームを行うことができる。
【００５９】
また、上述した一実施形態では、表示部１６に表示される画像を静止画像として説明したが、例えば、１フレーム毎に上述した処理を行うことで、動画に対してもこの発明を適用できる。
【００６０】
また、上述した一実施形態では、撮像装置の一例としてビデオカメラを用いて説明したが、例えば、ディジタルカメラなどの他の撮像装置もこの発明を適用できる。さらに、撮像機能を有さず、静止画像や動画像を再生する機能を有する再生装置にもこの発明を適用することができる。
【図面の簡単な説明】
【００６１】
【図１】この発明の一実施形態におけるビデオカメラの構成を示すブロック図である。
【図２】この発明の一実施形態における通常再生処理を示すフローチャートである。
【図３】この発明の一実施形態における半導体メモリに展開された画像の例を示す略線図である。
【図４】この発明の一実施形態における再生面の計算の例を示す略線図である。
【図５】この発明の一実施形態における再生面に貼り付けられた再生画像の例を示す略線図である。
【図６】この発明の一実施形態における半導体メモリに展開された画像の他の例を示す略線図である。
【図７】この発明の一実施形態における表示部に表示される画像を示す略線図である。
【図８】この発明の一実施形態における再生ズームの処理を示すフローチャートである。
【図９】この発明の一実施形態における画像の切り出しの例を示す略線図である。
【図１０】この発明の一実施形態における画像の切り出し開始位置の計算の例を示す略線図である。
【図１１】この発明の一実施形態における画像の切り出しの他の例を示す略線図である。
【図１２】この発明の一実施形態における画像の切り出し開始位置の計算の他の例を示す略線図である。
【図１３】この発明の適用した場合における画像の再生ズームの例を示す略線図である。
【図１４】従来の画像の再生ズームの例を示す略線図である。
【符号の説明】
【００６２】
１        ビデオカメラ
１４      記憶部
１５      記録部
１６      表示部
１７      制御部
１８      画像処理部
【図１】
2006217214.tif 000003
【図２】
2006217214.tif 000004
【図３】
2006217214.tif 000005
【図４】
2006217214.tif 000006
【図５】
2006217214.tif 000007
【図６】
2006217214.tif 000008
【図７】
2006217214.tif 000009
【図８】
2006217214.tif 000010
【図９】
2006217214.tif 000011
【図１０】
2006217214.tif 000012
【図１１】
2006217214.tif 000013
【図１２】
2006217214.tif 000014
【図１３】
2006217214.tif 000015
【図１４】
2006217214.tif 000016